(57)【要約】      （修正有）【課題】財布を広げた時に、紙幣収納部の全域にわたって広い開口部を有する小銭収納部を備えた二つ折り財布を提供する。【解決手段】外生地１０と中生地１２との間に紙幣収納部２ａが形成されている。紙幣収納部中央から折り畳みが可能な構成となっている。紙幣収納部の横幅方向の全域に隣接して、立体形成壁２０の互いに重なる部分から成る小銭収納部６ｂが設けられている。立体形成壁の互いに重なる部分には、紙幣収納部を伸ばしたとき、外生地の平面に対して直角な方向に延びる底部３８とこれに対して垂直な面である仕切り１８および上半部分３２とから成る立体形状を形成するための屈折自在部２２，２４，２６，２８，３０が設けられている。【選択図】図１
0003192735.tif 000002
【実用新案登録請求の範囲】
【請求項１】
外生地（１０）と中生地（１２）との間に紙幣収納部（２ａ）が形成され、該紙幣収納部（２ａ）を中央から折り畳みが可能な二つ折り財布において、前記紙幣収納部（２ａ）の横幅方向の全域に隣接して、立体形成壁（２０）の互いに重なる部分から成る小銭収納部（６ａ）を設け、前記立体形成壁（２０）の互いに重なる部分に前記外生地（１０）の平面に対して直角な方向に延びる底部（３８）とこれに対して垂直な面とから成る立体形状を形成するための屈折自在部を設けたことを特徴とする二つ折り財布。
【請求項２】
前記立体形成壁（２０）に形成された屈折自在部は、立体形成壁（２０）の上縁部（２０ａ）の中央から角形縁部（２０ｂ）の中央との間に形成された第１の屈折自在部（２２）と、該第１の屈折自在部（２２）と立体形成壁（２０）の左側縁部（２０ｃ）との間に形成された第２の屈折自在部（２４）と、前記第１の屈折自在部（２２）と立体形成壁（２０）の右側縁部（２０ｄ）との間に形成された前記第２の屈折自在部（２４）と接続する第３の屈折自在部（２６）と、前記第１の屈折自在部（２２）と前記左側縁部（２０ｃ）との間に形成された第４の屈折自在部（２８）と、該第４の屈折自在部（２８）と接続し、前記第１の屈折自在部（２２）と前記右側縁部（２０ｄ）との間に形成された第５の屈折自在部（３０）とから成り、前記立体形成壁（２０）の左側縁部（２０ｃ）を前記外生地（１０）の左側縁部（１０ａ）に縫着し、前記立体形成壁（２０）の右側縁部（２０ｄ）を、前記外生地（１０）の右側縁部（２０ｄ）に縫着し、前記角形縁部（２０ｂ）を、前記外生地（１０）に平行な仕切りに縫着したことを特徴とする請求項１に記載の二つ折り財布。
【考案の詳細な説明】
【技術分野】
【０００１】
本考案は、左右に延びる紙幣収納部の中央から折り畳みが可能な二つ折り財布に関する。
【背景技術】
【０００２】
小銭収納部を備えた二つ折り財布は従来知られている（例えば特許文献１参照）。
また、小銭収納部を立体構造とし、札と小銭を同一方向から出し入れできるようにした財布が従来知られている（例えば特許文献２参照）。
【先行技術文献】
【特許文献】
【０００３】
【特許文献１】特開平１１−３４２０１６号公報
【特許文献２】実開平５−６３３２０号公報
【考案の概要】
【考案が解決しようとする課題】
【０００４】
二つ折り財布は、左右に長い紙幣収納部を有するが、二つ折り財布を広げたとき、この長い紙幣収納部の全域にわたって広がる箱形の立体構造となることが可能な小銭収納部を備えた二つ折り財布は従来知られていない。
本考案は、二つ折り財布を広げたとき、大きな収納スペースを有する箱形の立体構造の小銭収納部を形成することができる小銭収納部付きの二つ折り財布を提供することを目的とするものである。
【課題を解決するための手段】
【０００５】
上記目的を達成するため、本考案は、外生地（１０）と中生地（１２）との間に紙幣収納部（２ａ）が形成され、該紙幣収納部（２ａ）を中央から折り畳みが可能な二つ折り財布において、前記紙幣収納部（２ａ）の横幅方向の全域に隣接して、立体形成壁（２０）の互いに重なる部分から成る小銭収納部（６ａ）を設け、前記立体形成壁（２０）の互いに重なる部分に前記外生地（１０）の平面に対して直角な方向に延びる底部（３８）とこれに対して垂直な面とから成る立体形状を形成するための屈折自在部を設けたことを特徴とする。
また本考案は、前記立体形成壁（２０）に形成された屈折自在部は、立体形成壁（２０）の上縁部（２０ａ）の中央から角形縁部（２０ｂ）の中央との間に形成された第１の屈折自在部（２２）と、該第１の屈折自在部（２２）と立体形成壁（２０）の左側縁部（２０ｃ）との間に形成された第２の屈折自在部（２４）と、前記第１の屈折自在部（２２）と立体形成壁（２０）の右側縁部（２０ｄ）との間に形成された前記第２の屈折自在部（２４）と接続する第３の屈折自在部（２６）と、前記第１の屈折自在部（２２）と前記左側縁部（２０ｃ）との間に形成された第４の屈折自在部（２８）と、該第４の屈折自在部（２８）と接続し、前記第１の屈折自在部（２２）と前記右側縁部（２０ｄ）との間に形成された第５の屈折自在部（３０）とから成り、前記立体形成壁（２０）の左側縁部（２０ｃ）を前記外生地（１０）の左側縁部（１０ａ）に縫着し、前記立体形成壁（２０）の右側縁部（２０ｄ）を、前記外生地（１０）の右側縁部（２０ｄ）に縫着し、前記角形縁部（２０ｂ）を、前記外生地（１０）に平行な仕切りに縫着したことを特徴とするものである。
【考案の効果】
【０００６】
本考案は、大きなスペースを有する立体構造の箱形の小銭収納部を紙幣収納部に隣接して形成でき、小銭の出し入れに極めて便利である。
【図面の簡単な説明】
【０００７】
【図１】二つ折り財布を左右に広げた状態の平面図である。
【図２】二つ折り財布を閉じた状態の平面図である。
【図３】二つ折り財布を左右に広げた状態の底面図である。
【図４】同上背面図である。
【図５】二つ折り財布を閉じた状態の外観説明図である。
【図６】二つ折り財布を左右に広げた状態の外観説明図である。
【考案を実施するための形態】
【０００８】
以下に、本考案の構成を添付した図面を参照して詳細に説明する。
図１〜図３は、本考案に係る二つ折り財布を示している。二つ折り財布は、紙幣収納構成部２とカード収納構成部４と、小銭収納構成部６と蓋部８とから構成されている。紙幣収納構成部２は、外生地１０と中生地１２とから成り、外生地１０と中生地１２間に紙幣収納部２ａが構成されている。
【０００９】
外生地１０の上縁部の中央部を基準として、左右の中の一方側には、蓋部８が縫着されている。蓋部８は、二つ折り財布を図５に示す如く、左右の中央部を中心として左右を重ねて二つ折りに畳んだとき、二つ折り財布の開口部を塞ぐためのものであり、蓋部８の内側には、蓋部８の開放部を外生地１０に、これに設けられた留め金具を介して脱着可能に結合させるための留め金具１４が設けられている。
【００１０】
カード収納構成部４は、仕切りである中生地１２と仕切り１６，１８とから成り、中生地１２と仕切り１６間、仕切り１６と仕切り１８間にカード収納部が構成されている。
小銭収納構成部６は、固い生地から成る、外生地１０の長手方向に延びる横幅を有する立体形成壁２０から構成されている。
【００１１】
立体形成壁２０には、その上縁部２０ａの中央から角形縁部２０ｂの中央との間に形成された直線方向に延びる、第１の屈折自在部２２と、該第１の屈折自在部２２と左側縁部２０ｃとの間に形成された直線方向に延びる第２の屈折自在部２４と、前記第１の屈折自在部２２と右側縁部２０ｄとの間に形成された、前記第２の屈折自在部２４と接続する、直線方向に延びる第３の屈折自在部２６と、前記第１の屈折自在部２２と左側縁部２０ｃとの間に形成された、直線方向に延びる第４の屈折自在部２８と、前記第１の屈折自在部２２と右側縁部２０ｄとの間に形成された、前記第４の屈折自在部２８と接続された、直線方向に延びる第５の屈折自在部３０が形成されている。
【００１２】
立体形成壁２０の左側縁部２０ｃは、外生地１０の左側縁部１０ａに縫着され、立体形成壁２０の右側縁部２０ｄは、外生地１０の右側縁部１０ｂに縫着されている。立体形成壁２０の角形縁部２０ｂは、仕切り１８に縫着されている。図中４０ａ，４０ｂは留め金具である。
【００１３】
上記した構成において、財布が折り畳まれている状態では、立体形成壁２０は、第４と第５の屈折自在部２８，３０を中心として屈折され、立体形成壁２０の、屈折自在部２８，３０を基準として、これより上方の上半部分３２と、仕切り１８及び角形縁部２０ｂで囲まれた角形部分３４との間に薄形の小銭収納部６ａが形成される。
【００１４】
財布を略９０度程度左右に広げ立体形成壁２０の第４と第５の屈折自在部２８，３０と第１の屈折自在部２２との交点３６を、指で財布の下側から上方に押し上げると、この押圧力で、立体形成壁２０の各屈折自在部２２，２４，２６，２８，３０が屈折し、立体形成壁２０の第４，第５屈折自在部２８，３０を含むエリアを底部３８とする小銭収納用箱形立体構造が形成される。
【００１５】
この小銭収納用の立体構造は、立体形成壁２０の、第４、第５屈折自在部２８，３０を含む部分から成る外生地１０の平面に対して直角方向に延びる底部３８と、この底部３８の縁部から垂直に延び立体構造の側壁部を形成する仕切り１８と、立体形成壁２０の第２、第３屈折自在部２４，２６を基準として、その上半部分３２とから構成される。
【００１６】
上記立体構造を有する立体小銭収納部６ｂは、紙幣収納部２ａの横幅方向の全域に隣接して形成され、これにより広い開口部４２が形成される。小銭収納部６ｂの立体形成壁２０の剛性により、形状保形機能を有し、一旦、指の押圧力により、形成された立体形状は、押圧力を解除しても保持される。この立体形状を解除するには、開口部側から、底部３８の交点３６の周囲を指で押し下げ、外生地１０を折り畳めば、外生地１０の折り畳みに応じて立体形成壁２０の各屈折自在部２２，２４，２６，２８，３０が屈折して、立体形成壁２０の底部３８が折り畳まれ、財布の全体が折り畳まれる。
【００１７】
尚、本実施形態では、財布を折り畳んだとき、小銭収納部６ａの開口部を蓋部８で塞ぎ、蓋部８と留め金具で留める構成を採用したが、本考案は、この構成に限定されるものではなく、ファスナーその他のキャップ構造を用いて薄型状の小銭収納部６ａの開口部を閉じるようにしても良い。
【符号の説明】
【００１８】
２      紙幣収納構成部
２ａ    紙幣収納部
４      カード収納構成部
６      小銭収納構成部
６ａ    薄型小銭収納部
６ｂ    立体小銭収納部
８      蓋部
１０    外生地
１０ａ  左側縁部
１０ｂ  右側縁部
１２    中生地
１４    留め金具
１６    仕切り
１８    仕切り
２０    立体形成壁
２０ａ  上縁部
２０ｂ  角形縁部
２０ｃ  左側縁部
２０ｄ  右側縁部
２２    第１の屈折自在部
２４    第２の屈折自在部
２６    第３の屈折自在部
２８    第４の屈折自在部
３０    第５の屈折自在部
３２    上半部分
３４    角形部分
３６    交点
３８    底部
４０ａ  留め金具
４０ｂ  留め金具
４２    開口部
【図１】
0003192735.tif 000003
【図２】
0003192735.tif 000004
【図３】
0003192735.tif 000005
【図４】
0003192735.tif 000006
【図５】
0003192735.tif 000007
【図６】
0003192735.tif 000008